(57)【要約】【課題】装置に衝撃が加わった場合にも回路基板などの破損を抑制することが可能な画像読取装置を提供する。【解決手段】この画像読取装置１００は、原稿が配置される載置板１０と、載置板１０の原稿を読み取る画像センサ部２２と、画像センサ部２２を収容して保持するケース部２１と、ケース部２１と接触するように配置され、ケース部２１を載置板１０に対して付勢する圧縮コイルバネ５０とを備える。【選択図】図４
2015035738.tif 000002
【特許請求の範囲】
【請求項１】
原稿が配置される原稿配置部と、
前記原稿配置部の原稿を読み取る画像センサ部と、
前記画像センサ部を収容して保持するケース部と、
前記ケース部と接触するように配置され、前記ケース部を前記原稿配置部に対して付勢する付勢部材とを備える、画像読取装置。
【請求項２】
前記画像センサ部と電気的に接続されるとともに、前記ケース部内で前記画像センサ部とは反対側に露出するように配置された回路基板をさらに備え、
前記付勢部材は、前記回路基板とは非接触の状態で、前記ケース部を前記原稿配置部に対して付勢するように構成されている、請求項１に記載の画像読取装置。
【請求項３】
前記画像センサ部および前記回路基板が収容された前記ケース部を保持する保持部材をさらに備え、
前記付勢部材は、前記ケース部と前記保持部材との間の位置で、かつ、平面的に見て前記回路基板と重なる位置に配置されている、請求項２に記載の画像読取装置。
【請求項４】
前記画像センサ部が収容された前記ケース部を保持する保持部材をさらに備え、
前記保持部材は、前記ケース部を移動可能に保持するように構成されているとともに、前記ケース部の移動方向を前記原稿配置部に向かう方向にガイドするガイド部を有し、
前記付勢部材は、前記ケース部から前記原稿配置部に向かう方向に対して前記ガイド部側に傾斜した方向に向けて、前記ケース部を付勢するように構成されている、請求項１〜３のいずれか１項に記載の画像読取装置。
【請求項５】
前記画像センサ部と電気的に接続されるとともに、前記ケース部内で前記画像センサ部とは反対側に露出するように配置された回路基板をさらに備え、
前記付勢部材は、前記回路基板の幅よりも大きな内径を有する圧縮コイルバネを含み、
前記圧縮コイルバネは、巻き中心が前記回路基板と重なる位置に位置するとともに、前記回路基板の外側の前記ケース部と接触するように設けられている、請求項１〜４のいずれか１項に記載の画像読取装置。
【請求項６】
前記画像センサ部と電気的に接続されるとともに、前記ケース部内で前記画像センサ部とは反対側に露出するように配置された回路基板をさらに備え、
前記付勢部材は、前記回路基板の一方側に配置された回動支点と、前記回路基板の他方側に配置され、前記ケース部に当接して付勢するねじりアームとを有するねじりバネを含む、請求項１〜４のいずれか１項に記載の画像読取装置。
【請求項７】
前記画像センサ部と電気的に接続されるとともに、前記ケース部内で前記画像センサ部とは反対側に露出するように配置された回路基板をさらに備え、
前記付勢部材は、前記回路基板の一方側に配置された回動支点と、前記回路基板の他方側に配置され、前記ケース部に当接して付勢する板バネアームとを有する板バネを含む、請求項１〜４のいずれか１項に記載の画像読取装置。
【請求項８】
前記画像センサ部と電気的に接続されるとともに、前記ケース部内で前記画像センサ部とは反対側に露出するように配置された回路基板をさらに備え、
前記付勢部材は、固定的に支持された第１表面と、前記ケース部を付勢する第２表面とを有するゴムまたは発泡材を含み、
前記第２表面は、前記回路基板の幅方向外側で前記ケース部と接触し、かつ、前記回路基板とは非接触となるように傾斜した傾斜面からなる、請求項１〜４のいずれか１項に記載の画像読取装置。
【請求項９】
画像印刷を行う印刷部と、
画像読取りを行う読取部とを備え、
前記読取部は、
原稿が配置される原稿配置部と、
前記原稿配置部の原稿を読み取る画像センサ部と、
前記画像センサ部を収容して保持するケース部と、
前記ケース部と接触するように配置され、前記ケース部を前記原稿配置部に対して付勢する付勢部材とを含む、画像形成装置。
【発明の詳細な説明】
【技術分野】
【０００１】
この発明は、画像読取装置および画像形成装置に関し、特に、原稿配置部に配置された原稿を読み取る画像センサ部を備えた画像読取装置および画像形成装置に関する。
【背景技術】
【０００２】
従来、原稿配置部に配置された原稿を読み取る画像センサ部を備えた画像読取装置が知られている（たとえば、特許文献１参照）。
【０００３】
上記特許文献１には、原稿が載置される透明な載置板と、ケース部内に画像センサ部と回路基板とが収容された密着型イメージセンサ（ＣＩＳ；Ｃｏｎｔａｃｔ  Ｉｍａｇｅ  Ｓｅｎｓｏｒ）ユニットと、イメージセンサユニットを走査させるための駆動機構とを備えた画像読取装置が開示されている。イメージセンサユニットは、載置板の下面側に配置されており、ケース部の上面側（載置板側）に画像センサ部が配置されている。画像センサ部は、載置板を透過して載置板上の原稿で反射された光を受光することにより、画像読み取りを行う。また、回路基板は、ケース部内で下面側（載置板側とは反対側）に配置されている。ケース部の下面（底面）は開放されており、回路基板が下面側に露出した状態となっている。
【０００４】
ここで、密着型イメージセンサ（ＣＩＳ）は焦点距離が短いため、原稿が載置される載置板に対して接触状態を維持することにより、原稿（読み取り面）と画像センサ部との間の距離を一定に保つことが行われている。そのため、上記特許文献１には明示されていないが、このような従来のＣＩＳ方式の画像読取装置は、通常、バネなどを用いてイメージセンサユニットを載置板に対して下側から付勢して、駆動機構による走査中も載置板に対する接触状態を維持するように構成される。
【先行技術文献】
【特許文献】
【０００５】
【特許文献１】特開２０１０−１５４４１３号公報
【発明の概要】
【発明が解決しようとする課題】
【０００６】
しかしながら、上記特許文献１に記載されたような従来の画像読取装置では、ケース部の下面側で回路基板が露出しているため、バネを回路基板に接触させて回路基板を付勢することにより、イメージセンサユニットを載置板側に付勢する必要がある。この場合に、衝撃などがイメージセンサユニットに加わってバネが最大まで圧縮されると、バネがそれ以上圧縮できずに剛体のようになり、衝撃が回路基板にそのまま作用することになる。その結果、回路基板や、回路基板に実装された電子部品またはボンディングワイヤなどが衝撃によって破損してしまうことがある。したがって、上記特許文献１のような従来の画像読取装置では、装置に衝撃が加わった場合に回路基板などの破損が発生しやすいという問題点がある。
【０００７】
この発明は、上記のような課題を解決するためになされたものであり、この発明の１つの目的は、装置に衝撃が加わった場合にも回路基板などの破損を抑制することが可能な画像読取装置および画像形成装置を提供することである。
【課題を解決するための手段】
【０００８】
この発明の第１の局面による画像読取装置は、原稿が配置される原稿配置部と、原稿配置部の原稿を読み取る画像センサ部と、画像センサ部を収容して保持するケース部と、ケース部と接触するように配置され、ケース部を原稿配置部に対して付勢する付勢部材とを備える。
【０００９】
この発明の第１の局面による画像読取装置では、上記のように、ケース部と接触するように配置され、ケース部を原稿配置部に対して付勢する付勢部材を設けることによって、装置に衝撃が加わった場合に付勢部材が最大まで圧縮される場合でも、衝撃を付勢部材と接触するケース部に作用させることができる。これにより、衝撃がケース部に直接伝わることになり、その分だけ回路基板や電子部品に伝わる衝撃が軽減されるので、装置に衝撃が加わった場合にも回路基板などの破損を抑制することができる。
【００１０】
上記第１の局面による画像読取装置において、好ましくは、画像センサ部と電気的に接続されるとともに、ケース部内で画像センサ部とは反対側に露出するように配置された回路基板をさらに備え、付勢部材は、回路基板とは非接触の状態で、ケース部を原稿配置部に対して付勢するように構成されている。このように構成すれば、装置に衝撃が加わった場合に付勢部材が最大まで圧縮される場合でも、衝撃が回路基板や電子部品にそのまま作用することがないので、装置に衝撃が加わった場合の回路基板などの破損をより効果的に抑制することができる。
【００１１】
この場合、好ましくは、画像センサ部および回路基板が収容されたケース部を保持する保持部材をさらに備え、付勢部材は、ケース部と保持部材との間の位置で、かつ、平面的に見て回路基板と重なる位置に配置されている。このように構成すれば、平面的に見て回路基板の外側に付勢部材を配置する必要がないので、付勢部材が回路基板とは非接触の状態でケース部と接触する構成においても、装置寸法の大型化を抑制することができる。
【００１２】
上記第１の局面による画像読取装置において、好ましくは、画像センサ部が収容されたケース部を保持する保持部材をさらに備え、保持部材は、ケース部を移動可能に保持するように構成されているとともに、ケース部の移動方向を原稿配置部に向かう方向にガイドするガイド部を有し、付勢部材は、ケース部から原稿配置部に向かう方向に対してガイド部側に傾斜した方向に向けて、ケース部を付勢するように構成されている。このように構成すれば、ガイド部により、原稿配置部に向かう方向以外の方向へケース部が移動するのを防ぐことができる。この場合に、付勢部材の付勢方向をガイド部側に傾斜させることによって、ケース部をガイド部側にも付勢してケース部とガイド部との接触状態を維持させることができる。これにより、ケース部とガイド部との間の隙間（クリアランス）を無くすことができるので、たとえば駆動機構を用いてケース部（画像センサ部）を走査させる場合や、画像読取装置の輸送時などに発生する振動によってケース部がガイド部との間の隙間でガタつくことを防ぐことができる。また、その結果、ケース部が振動（共振）して原稿配置部と接触および離間を繰り返すことにより異音が発生することも抑制することができる。
【００１３】
上記第１の局面による画像読取装置において、好ましくは、画像センサ部と電気的に接続されるとともに、ケース部内で画像センサ部とは反対側に露出するように配置された回路基板をさらに備え、付勢部材は、回路基板の幅よりも大きな内径を有する圧縮コイルバネを含み、圧縮コイルバネは、巻き中心が回路基板と重なる位置に位置するとともに、回路基板の外側のケース部と接触するように設けられている。このように構成すれば、回路基板の幅よりも大きな内径を有する圧縮コイルバネを付勢部材として用いることにより、容易に、回路基板の外側で、ケース部と付勢部材（圧縮コイルバネ）とを接触させることができる。また、たとえば圧縮コイルバネを回路基板の外側に配置する構成と比較して、巻き中心が回路基板と重なる位置に圧縮コイルバネを配置することにより、装置（ケース部）が大型化するのを抑制することができる。
【００１４】
上記第１の局面による画像読取装置において、好ましくは、画像センサ部と電気的に接続されるとともに、ケース部内で画像センサ部とは反対側に露出するように配置された回路基板をさらに備え、付勢部材は、回路基板の一方側に配置された回動支点と、回路基板の他方側に配置され、ケース部に当接して付勢するねじりアームとを有するねじりバネを含む。このように構成すれば、ねじりバネを付勢部材として用いる場合にも、回路基板の一方側の回動支点とは反対の他方側でケース部に当接するねじりアームによって、容易に、回路基板の外側でケース部と付勢部材（ねじりバネ）とを接触させることができる。また、ガイド部を有する保持部材を設ける場合、ねじりアームとケース部との接触点と、ねじりバネの回動支点（コイル部）との距離を調節することにより、容易に、ケース部から原稿配置部に向かう方向に対してガイド部側に傾斜した方向に向けてケース部を付勢する構成を得ることもできる。
【００１５】
上記第１の局面による画像読取装置において、好ましくは、画像センサ部と電気的に接続されるとともに、ケース部内で画像センサ部とは反対側に露出するように配置された回路基板をさらに備え、付勢部材は、回路基板の一方側に配置された回動支点と、回路基板の他方側に配置され、ケース部に当接して付勢する板バネアームとを有する板バネを含む。このように構成すれば、板バネを付勢部材として用いる場合にも、回路基板の一方側の回動支点とは反対の他方側でケース部に当接する板バネアームによって、容易に、回路基板の外側でケース部と付勢部材（板バネ）とを接触させることができる。また、ねじりアームがケース部と線接触するねじりバネを付勢部材として用いる場合と比較して、板バネ（板バネアーム）をケース部と面接触させることができるので、より安定してケース部を付勢することができる。また、ガイド部を有する保持部材を設ける場合、板バネアームとケース部との接触点と、板バネの回動支点（屈曲部）との距離を調節することにより、容易に、ガイド部側に傾斜した方向に向けてケース部を付勢する構成を得ることもできる。
【００１６】
上記第１の局面による画像読取装置において、好ましくは、画像センサ部と電気的に接続されるとともに、ケース部内で画像センサ部とは反対側に露出するように配置された回路基板をさらに備え、付勢部材は、固定的に支持された第１表面と、ケース部を付勢する第２表面とを有するゴムまたは発泡材を含み、第２表面は、回路基板の幅方向外側でケース部と接触し、かつ、回路基板とは非接触となるように傾斜した傾斜面からなる。このように構成すれば、ゴムまたは発泡材を付勢部材として用いる場合にも、傾斜面からなる第２表面によって、容易に、回路基板とは非接触の状態でケース部と付勢部材（ゴムまたは発泡材）とを接触させることができる。また、ガイド部を有する保持部材を設ける場合、傾斜面からなる第２表面の傾斜角度を調節することにより、容易に、ガイド部側に傾斜した方向に向けてケース部を付勢する構成を得ることもできる。
【００１７】
この発明の第２の局面による画像形成装置は、画像印刷を行う印刷部と、画像読取りを行う読取部とを備え、読取部は、原稿が配置される原稿配置部と、原稿配置部の原稿を読み取る画像センサ部と、画像センサ部を収容して保持するケース部と、ケース部と接触するように配置され、ケース部を原稿配置部に対して付勢する付勢部材とを含む。
【００１８】
この発明の第２の局面による画像形成装置では、上記のように、ケース部と接触するように配置され、ケース部を原稿配置部に対して付勢する付勢部材を設けることによって、装置に衝撃が加わった場合に付勢部材が最大まで圧縮される場合でも、衝撃を付勢部材と接触するケース部に作用させることができる。これにより、衝撃がケース部に直接伝わることになり、その分だけ回路基板や電子部品に伝わる衝撃が軽減されるので、装置に衝撃が加わった場合にも回路基板などの破損を抑制することができる。
【発明の効果】
【００１９】
本発明によれば、上記のように、装置に衝撃が加わった場合にも回路基板などの破損を抑制することが可能な画像読取装置および画像形成装置を提供することができる。
【図面の簡単な説明】
【００２０】
【図１】本発明の第１実施形態による画像読取装置の全体構成を模式的に示した平面図である。
【図２】本発明の第１実施形態による画像読取装置の構成を示した分解斜視図である。
【図３】図２に示した画像読取装置のセンサユニットの各部を説明するための分解斜視図である。
【図４】本発明の第１実施形態による画像読取装置のセンサユニットを長手方向から見た場合の模式的な断面図である。
【図５】本発明の第１実施形態による画像読取装置のセンサユニットを短手方向から見た場合の模式図である。
【図６】本発明の第２実施形態による画像読取装置のセンサユニットを長手方向から見た場合の模式的な断面図である。
【図７】本発明の第２実施形態による画像読取装置のセンサユニットを短手方向から見た場合の模式図である。
【図８】本発明の第３実施形態による画像読取装置のセンサユニットを長手方向から見た場合の模式的な断面図である。
【図９】本発明の第３実施形態による画像読取装置のセンサユニットを短手方向から見た場合の模式図である。
【図１０】本発明の第４実施形態による画像読取装置のセンサユニットを長手方向から見た場合の模式的な断面図である。
【図１１】本発明の第４実施形態による画像読取装置のセンサユニットを短手方向から見た場合の模式図である。
【図１２】本発明の第５実施形態による複合機（画像形成装置）を示した斜視図である。
【発明を実施するための形態】
【００２１】
以下、本発明を具体化した実施形態を図面に基づいて説明する。
【００２２】
（第１実施形態）
まず、図１〜図５を参照して、本発明の第１実施形態による画像読取装置１００の構成について説明する。
【００２３】
本発明の第１実施形態による画像読取装置１００は、図１および図２に示すように、載置板１０と、画像読み取りを行うセンサユニット２０とを備え、載置板１０上に載置（設置）された読み取り用の原稿を読み取るフラットベッド型のスキャナ装置である。画像読取装置１００は、センサユニット２０により原稿を読み取った後、読み取られたデータ（イメージや文字）を外部機器へ出力する機能を有する。また、画像読取装置１００は、載置板１０およびセンサユニット２０や、センサユニット２０により読み取ったデータを処理する制御部（図示せず）などを収容する筐体１１を備えている。なお、載置板１０は、本発明の「原稿配置部」の一例である。以下では、画像読取装置１００のうち、載置板１０が配置される側を上側、載置板１０とは反対側を下側という。
【００２４】
筐体１１は、略長方形の箱状形状を有する。筐体１１の上面部１１ａは、開口部分を有する矩形枠状に形成されている。載置板１０は、原稿読み取りのための透明なガラス板などからなり、原稿の読取領域に対応した大きさの矩形形状を有する。載置板１０は、矩形枠状に形成された上面部１１ａの開口部分に嵌め込まれて固定されている。筐体１１の上面部１１ａには、載置板１０上に載置された原稿を挟み込むように開閉可能な天板（図示せず）が設けられる。
【００２５】
センサユニット２０は、筐体１１の内部で載置板１０の下面側に配置されているとともに、保持部材３０によって保持されている。また、筐体１１の内部には、保持部材３０を介してセンサユニット２０を移動させるための駆動機構４０および駆動モータ４１が設けられている。また、保持部材３０とセンサユニット２０との間には、センサユニット２０を載置板１０に付勢するための圧縮コイルバネ５０（図２参照）が設けられている。センサユニット２０は、主走査方向（図１のＹ方向）に延びる細長形状を有するとともに、主走査方向（Ｙ方向）と水平面内で直交する副走査方向（Ｘ方向）に移動可能に構成されている。これにより、センサユニット２０は、Ｙ方向のライン状に原稿を読み取りながら、駆動機構４０および駆動モータ４１によりＸ方向に移動（走査）されることによって、載置板１０の読取領域全体に渡って読み取りを行うように構成されている。なお、以下では必要に応じて、主走査方向（Ｙ方向）をセンサユニット２０の長手方向といい、副走査方向（Ｘ方向）をセンサユニット２０の短手方向という。なお、圧縮コイルバネ５０は、本発明の「付勢部材」の一例である。
【００２６】
図３に示すように、センサユニット２０は、たとえば密着型イメージセンサ（ＣＩＳ）からなる。また、センサユニット２０は、樹脂製のケース部２１と、載置板１０に配置された原稿を読み取る画像センサ部２２と、回路基板２３と、スペーサ２４とを含んでいる。
【００２７】
ケース部２１は、Ｙ方向に延びる細長形状を有し、図４に示すように、画像センサ部２２と回路基板２３とを内部に収容して保持するように構成されている。ケース部２１は、上面側（載置板１０側、Ｚ１方向側）に凹状のセンサ収容部２１ａを有するとともに、下面側（載置板１０とは反対側、Ｚ２方向側）に凹状の基板収容部２１ｂを有している。下面側の基板収容部２１ｂは底部が下方に開放されている。また、図３および図５に示すように、ケース部２１の長手方向（Ｙ方向）の両端部において、短手方向の一方側（Ｘ１方向側）には、保持部材３０と係合するための円柱状の軸状部２１ｃが、長手方向に向いて突出するように形成されている。
【００２８】
図３および図４に示すように、画像センサ部２２は、読取領域に対応する長さ（Ｙ方向の幅）で主走査方向（Ｙ方向）に沿って延びるように設けられており、光源部２２ａと受光部２２ｂとを含む。光源部２２ａは、たとえば光源および導光部材などからなり、載置板１０の下面側から載置板１０を介して（透過して）原稿に光を照射するように構成されている。受光部２２ｂは、たとえば結像用のレンズ部材および光電変換素子などからなり、光源部２２ａから照射されて原稿で反射された光を、載置板１０を介して受光し、光電変換素子に結像させる。これにより、反射光が受光部２２ｂで電気信号に変換され、電気信号（データ）が回路基板２３を介して制御部に出力される。
【００２９】
回路基板２３は、画像センサ部２２と電気的に接続されるとともに、ケース部２１の基板収容部２１ｂ内で画像センサ部２２とは反対側（下面側）に露出するように配置されている。なお、ケース部２１内には、画像センサ部２２（光源部２２ａおよび受光部２２ｂ）と回路基板２３との間には空間が形成されており、回路基板２３上の電子部品や画像センサ部２２（光源部２２ａおよび受光部２２ｂ）との接続配線（ボンディングワイヤ）などが収容されているが、これらの図示を省略している。回路基板２３は、熱かしめまたはねじ部材などによりケース部２１に下面側から固定されている。図５に示すように、回路基板２３は、画像センサ部２２に対応してＹ方向に延びる平板状形状を有する。なお、図５では、ケース部２１の内部の回路基板２３にハッチングを付して示している。また、図４に示すように、回路基板２３は、短手方向（Ｘ方向）の幅Ｗ１を有している。この回路基板２３の短手方向の両外側（Ｘ１方向側およびＸ２方向側）には、ケース部２１の壁部２５が配置されている。回路基板２３の下面２３ａは、ケース部２１の壁部２５の下端面２５ａよりも、距離Ｄだけ僅かに上方の位置（基板収容部２１ｂ内の奥側の位置）に配置されている。また、回路基板２３の下面２３ａ側には、制御部との接続用のフレキシブルケーブル（ＦＰＣ）が接続されるコネクタ部２３ｂ（図５参照）が設けられている。
【００３０】
図３に示すように、スペーサ２４は、ケース部２１の上面部において、長手方向（Ｙ方向）の両端部にそれぞれ（一対）配置されている。スペーサ２４は、摺動特性が良好な樹脂材料（たとえばＰＰＳやＰＯＭなど）からなる。スペーサ２４は、図４に示すように、センサユニット２０が圧縮コイルバネ５０によって載置板１０に付勢された状態で載置板１０と接触して、画像センサ部２２と載置板１０との間の間隔を一定に保つ機能を有する。このスペーサ２４によって、読取領域の全体に渡って、センサユニット２０と載置板１０上の原稿との間の距離が一定に保たれる。
【００３１】
図３に示すように、保持部材３０は、板金製で、圧縮コイルバネ５０を介してセンサユニット２０を下側から支持している。すなわち、保持部材３０は、画像センサ部２２および回路基板２３が収容されたケース部２１を保持するように構成されている。また、保持部材３０は、連結部材３１を介して駆動機構４０（図２参照）に取り付けられている。この連結部材３１は、図２に示すように、副走査方向（Ｘ方向）に延びるガイドレール４２と係合し、Ｘ方向に直線移動可能に構成されている。また、保持部材３０は、図３に示すように、ケース部２１を上下方向に移動可能に保持するように構成されているとともに、長手方向（Ｙ方向）の両端部において、それぞれ切り起こし部に形成されたガイド部３２ａおよび３２ｂを一体的に有している。
【００３２】
ガイド部３２ａおよび３２ｂは、共に、上方（載置板１０に向かうＺ１方向）に延びるように形成されており、ガイド部３２ａが長孔で、ガイド部３２ｂは切欠き（溝状部）となっている。図４に示すように、ガイド部３２ａおよび３２ｂの内側には、それぞれケース部２１の軸状部２１ｃが挿入されている。これにより、ガイド部３２ａおよび３２ｂは、センサユニット２０（ケース部２１）の移動方向を載置板１０に向かう上方向（Ｚ１方向）にガイドする機能を有する。なお、ガイド部３２ａおよび３２ｂの幅方向（Ｘ方向）の内寸Ｗ２は、製造誤差を考慮して軸状部２１ｃの外径ｄ１よりも僅かに大きくなっている。このため、軸状部２１ｃとガイド部３２ａ（３２ｂ）との間には、ごく僅かな隙間（クリアランス）が存在する。なお、図４では、理解の容易化のため、軸状部２１ｃとガイド部３２ａ（３２ｂ）との間の隙間を誇張して示している。また、図３に示すように、保持部材３０の底部３３の上面において、長手方向（Ｙ方向）の両端部近傍には、それぞれ１つずつ（合計２つ）バネ座３４が設けられている。
【００３３】
圧縮コイルバネ５０は、センサユニット２０と保持部材３０との間で、保持部材３０の底部３３の２つのバネ座３４にそれぞれ（２つ）配置されている。これらの圧縮コイルバネ５０は、いずれも、平面的に見て、回路基板２３の両端部近傍で、回路基板２３と重なる位置に配置されている。また、図４に示すように、圧縮コイルバネ５０は、巻き中心（コイル中心）が回路基板２３の真下の位置に位置するように配置されている。また、圧縮コイルバネ５０は、下面が保持部材３０の底部３３と当接し、上面がセンサユニット２０のケース部２１と当接するように配置されている。ここで、第１実施形態では、圧縮コイルバネ５０は、ケース部２１と接触するように配置され、回路基板２３とは非接触の状態で、ケース部２１を載置板１０に対して付勢するように構成されている。具体的には、圧縮コイルバネ５０は、内径ｄ２が回路基板２３の幅Ｗ１よりも大きくなるように形成されている。これにより、圧縮コイルバネ５０は、回路基板２３の短手方向（Ｘ方向）の両外側の位置で、上面がケース部２１の壁部２５の下端面２５ａと接触点Ｐ１で当接する。なお、回路基板２３の下面２３ａは、壁部２５の下端面２５ａよりも上方に位置するので、短手方向（Ｘ方向）の壁部２５の間の位置で、回路基板２３と圧縮コイルバネ５０とは非接触の状態が保たれる。この結果、圧縮コイルバネ５０の付勢力Ｆ１は、ケース部２１の壁部２５に対して、接触点Ｐ１から上方（載置板１０側）に向けて作用する。
【００３４】
圧縮コイルバネ５０は、センサユニット２０を載置板１０側に付勢することによってスペーサ２４を載置板１０に接触させた状態を維持させるとともに、たとえば画像読取装置１００の搬送時の振動（衝撃）に対して圧縮コイルバネ５０が圧縮されることにより、センサユニット２０に作用する外力を緩和する機能を有する。この場合、センサユニット２０は、ケース部２１の軸状部２１ｃがガイド部３２ａおよび３２ｂにそれぞれガイドされることにより、上下方向に直線移動する。
【００３５】
図１および図２に示すように、駆動機構４０は、環状のベルト４０ａおよびプーリ４０ｂから構成された直動機構である。ベルト４０ａには上述の連結部材３１が固定されている。一方のプーリ４０ｂには、ギア４０ｃを介して駆動モータ４１の動力が伝達される。これにより、駆動モータ４１によってベルト４０ａを回転させ、保持部材３０に保持されたセンサユニット２０が副走査方向（Ｘ方向）に直線移動する。このようにして、第１実施形態の画像読取装置１００は構成されている。
【００３６】
上記第１実施形態では、以下のような効果を得ることができる。
【００３７】
第１実施形態では、上記のように、ケース部２１と接触するように配置され、ケース部２１を載置板１０に対して付勢する圧縮コイルバネ５０を設けることによって、画像読取装置１００に衝撃が加わった場合に圧縮コイルバネ５０が最大まで圧縮される場合でも、衝撃を圧縮コイルバネ５０と接触するケース部２１に作用させることができる。これにより、衝撃がケース部２１に直接伝わることになり、その分だけ回路基板２３や基板上の電子部品に伝わる衝撃が軽減されるので、画像読取装置１００に衝撃が加わった場合にも回路基板２３などの破損を抑制することができる。
【００３８】
ところで、回路基板２３の破損を抑制するためには、たとえばケース部２１の下面側を塞ぐ蓋部材を別途設けることも考えられる。しかしながら、この場合には部品点数が増加するとともに、センサユニット２０の組付の工数も増加してしまうという別の問題点が発生することになる。これに対して、第１実施形態によれば、部品点数の増加および組付工数の増加を全く発生させることなく、回路基板２３の破損を抑制することができる。
【００３９】
また、第１実施形態では、上記のように、ケース部２１内で画像センサ部２２とは反対の下面側（Ｚ２方向側）に露出するように配置された回路基板２３を設ける。そして、回路基板２３とは非接触の状態で、ケース部２１を載置板１０に対して付勢するように圧縮コイルバネ５０を構成する。これにより、画像読取装置１００に衝撃が加わった場合に圧縮コイルバネ５０が最大まで圧縮される場合でも、衝撃が回路基板２３や電子部品にそのまま作用することがないので、装置に衝撃が加わった場合の回路基板２３などの破損を、より効果的に抑制することができる。
【００４０】
また、第１実施形態では、上記のように、圧縮コイルバネ５０を、ケース部２１と保持部材３０との間の位置で、かつ、平面的に見て（上方から見て）回路基板２３と重なる位置に配置する。これにより、平面的に見て回路基板２３の外側に圧縮コイルバネ５０を配置する必要がないので、圧縮コイルバネ５０が回路基板２３とは非接触の状態でケース部２１と接触する構成においても、画像読取装置１００（センサユニット２０）の寸法の大型化を抑制することができる。
【００４１】
また、第１実施形態では、上記のように、回路基板２３の幅Ｗ１よりも大きな内径ｄ２を有する圧縮コイルバネ５０を設ける。そして、圧縮コイルバネ５０を、巻き中心が回路基板２３と重なる位置に位置するとともに、回路基板２３の外側のケース部２１と接触するように設ける。これにより、回路基板２３の幅Ｗ１よりも大きな内径ｄ２を有する圧縮コイルバネ５０を付勢部材として用いることにより、容易に、回路基板２３の外側で、ケース部２１と圧縮コイルバネ５０とを接触させることができる。また、たとえば圧縮コイルバネ５０を回路基板２３の外側（重ならない位置）に配置する場合には、圧縮コイルバネ５０とケース部２１とを接触させるためにケース部２１を大型化する必要がある一方、第１実施形態では、巻き中心が回路基板２３と重なる位置に圧縮コイルバネ５０を配置することにより、ケース部２１が大型化するのを抑制することができる。
【００４２】
（第２実施形態）
次に、図４、図６および図７を参照して、第２実施形態について説明する。この第２実施形態では、センサユニット２０を載置板１０側に付勢する圧縮コイルバネ５０を設けた上記第１実施形態と異なり、トーションバネを設けた例について説明する。なお、上記第１実施形態と同様の構成は、第１実施形態と同じ符号を付して図示するとともに説明を省略する。
【００４３】
図６および図７に示すように、本発明の第２実施形態における画像読取装置２００のセンサユニット１２０（ケース部２１）と保持部材３０との間には、上記第１実施形態の圧縮コイルバネ５０（図４参照）に代えて、トーションバネ（ねじりバネ）１５０が設けられている。なお、トーションバネ１５０は、本発明の「付勢部材」および「ねじりバネ」の一例である。
【００４４】
トーションバネ（ねじりバネ）１５０は、コイル部１５１と、一方のアーム１５２と、他方のアーム１５３とを備えている。トーションバネ１５０は、コイル部１５１を回転中心（回動支点）としてアーム１５２とアーム１５３とが互いに離間する方向に付勢力を発生させる。トーションバネ１５０は、アーム１５２およびアーム１５３がセンサユニット１２０の短手方向（Ｘ方向）に沿って延びるように配置されている。また、短手方向（Ｘ方向）において、コイル部１５１は、回路基板２３の一方側（Ｘ１方向側）に配置され、アーム１５３は、回路基板２３の他方側（Ｘ２方向側）に配置されている。すなわち、コイル部１５１は、ガイド部３２ａおよび３２ｂの配置された側と同じ側（Ｘ１方向側）に配置されている。なお、コイル部１５１は、本発明の「回動支点」の一例である。また、アーム１５３は、本発明の「ねじりアーム」の一例である。
【００４５】
アーム１５２は、保持部材３０に形成された取付部１３４によって固定的に支持されている。また、アーム１５３は、センサユニット１２０の下面に沿って短手方向に延び、回路基板２３の下方（Ｚ２方向）を短手方向に横切るように設けられている。そして、アーム１５３は、図６に示すように、短手方向の一方側（Ｘ１方向側）に配置されたコイル部１５１とは遠い他方側（Ｘ２方向側）の壁部２５の下端面２５ａに先端部が接触するように構成されている。したがって、第２実施形態では、トーションバネ１５０は、アーム１５３が回路基板２３の下方を幅方向（Ｘ方向）に跨ぐようにして、回路基板２３の外側のケース部２１（壁部２５）と線接触するように構成されている。したがって、トーションバネ１５０とケース部２１とは、コイル部１５１とは遠い側（Ｘ２方向側）の壁部２５の下端面２５ａの接触点Ｐ２において当接する。
【００４６】
ここで、第２実施形態では、トーションバネ１５０は、ケース部２１から載置板１０に向かうＺ方向に対してガイド部３２ａおよび３２ｂ側（Ｘ１方向側）に傾斜した方向に向けて、ケース部２１を付勢するように構成されている。具体的には、トーションバネ１５０の付勢力Ｆ２の向きは、回転中心（コイル部１５１）から接触点Ｐ２までのアーム１５３のアーム長を半径とする円の接線方向となる。そして、トーションバネ１５０の付勢力Ｆ２は、載置板１０に向かう上下方向（Ｚ方向）に対して短手方向のコイル部１５１側（Ｘ１方向側）に傾斜した方向に作用する。これにより、センサユニット１２０には、トーションバネ１５０の付勢力Ｆ２のうち、短手方向（Ｘ１方向）の分力が作用し、ケース部２１の軸状部２１ｃがガイド部３２ａおよび３２ｂの端面に押圧されるようになる。
【００４７】
ここで、トーションバネ１５０の付勢力Ｆ２の向きは、載置板１０とセンサユニット１２０（スペーサ２４）とが接触した状態で、傾斜角度θがＺ方向に対して短手方向（Ｘ１方向側）に約４０度以下の角度範囲となるように構成されている。また、付勢力Ｆ２の傾斜角度θは、より好ましくは、約１０度以下である。一方、傾斜角度θの下限としては、Ｚ方向に対して０度よりも大きく、好ましくは約１度以上である。第２実施形態では、この傾斜角度θに応じた短手方向（Ｘ１方向）の分力によって、ケース部２１の軸状部２１ｃが、常時、ガイド部３２ａおよび３２ｂの端面と接触状態を維持するようになる。したがって、トーションバネ１５０の付勢力Ｆ２の向きは（傾斜角度θ）は、短手方向の分力によってケース部２１の軸状部２１ｃがガイド部３２ａおよび３２ｂとの接触状態を維持することが可能な所定角度とされる。
【００４８】
なお、図６では、トーションバネ１５０とケース部２１との接触位置を、付勢力Ｆ２の説明のために接触点Ｐ２で代表して示しているが、実際にはトーションバネ１５０とケース部２１とは線接触となる。
【００４９】
第２実施形態における画像読取装置２００のその他の構成については、上記第１実施形態と同様である。
【００５０】
上記第２実施形態では、以下のような効果を得ることができる。
【００５１】
第２実施形態では、上記のように、載置板１０に向かうＺ方向に対してガイド部３２ａ（３２ｂ）側に傾斜した方向に向けてケース部２１を付勢するように、トーションバネ１５０を構成する。これにより、ケース部２１をガイド部３２ａ（３２ｂ）側にも付勢してケース部２１（軸状部２１ｃ）とガイド部３２ａ（３２ｂ）との接触状態を維持させることができる。その結果、ケース部２１とガイド部３２ａ（３２ｂ）との間の隙間（クリアランス）を無くすことができるので、駆動機構４０および駆動モータ４１を用いてケース部２１（画像センサ部２２）を走査させる場合や、画像読取装置２００の輸送時などに発生する振動によってケース部２１がガイド部３２ａ（３２ｂ）との間の隙間でガタつくことを防ぐことができる。これにより、ケース部２１（スペーサ２４）が振動（共振）して載置板１０と接触および離間を繰り返すことにより異音が発生することも抑制することができる。
【００５２】
また、第２実施形態では、上記のように、回路基板２３の一方側（Ｘ１方向側）に配置されたコイル部１５１と、回路基板２３の他方側（Ｘ２方向側）に配置され、ケース部２１に当接して付勢するアーム１５３とを有するトーションバネ（ねじりバネ）１５０を設ける。これにより、回路基板２３の一方側（Ｘ１方向側）のコイル部１５１とは反対の他方側（Ｘ２方向側）でケース部２１に当接するアーム１５３によって、容易に、回路基板２３の外側でケース部２１とトーションバネ１５０とを接触させることができる。また、アーム１５３とケース部２１との接触点Ｐ２と、トーションバネ１５０のコイル部１５１との距離を調節することにより、容易に、Ｚ方向に対してガイド部３２ａ（３２ｂ）側に傾斜した方向に向けて、ケース部２１を付勢する構成を得ることもできる。
【００５３】
なお、第２実施形態のその他の効果は、上記第１実施形態と同様である。
【００５４】
（第３実施形態）
次に、図６、図８および図９を参照して、第３実施形態について説明する。この第３実施形態では、センサユニット１２０を載置板１０側に付勢するトーションバネ１５０を設けた上記第２実施形態と異なり、板バネを設けた例について説明する。なお、上記第２実施形態と同様の構成は、第２実施形態と同じ符号を付して図示するとともに説明を省略する。
【００５５】
図８および図９に示すように、本発明の第３実施形態における画像読取装置３００のセンサユニット２２０（ケース部２１）と保持部材３０との間には、上記第２実施形態のトーションバネ１５０（図６参照）に代えて、板バネ２５０が設けられている。なお、板バネ２５０は、本発明の「付勢部材」の一例である。
【００５６】
板バネ２５０は、屈曲部２５１と、一方のアーム２５２と、他方のアーム２５３とを備え、屈曲部２５１を回転中心（回動支点）としてアーム２５２とアーム２５３とが互いに離間する方向に付勢力を発生させる。板バネ２５０は、全長に渡って略一定の幅Ｗ３（図９参照）を有するとともに、アーム２５２およびアーム２５３がセンサユニット２２０の短手方向（Ｘ方向）に沿って延びるように配置されている。また、短手方向（Ｘ方向）において、屈曲部２５１は、回路基板２３の一方側（Ｘ１方向側）に配置され、アーム２５３は、回路基板２３の他方側（Ｘ２方向側）に配置されている。すなわち、屈曲部２５１は、Ｘ方向において、ガイド部３２ａおよび３２ｂの配置された側と同じ側に配置されている。なお、屈曲部２５１は、本発明の「回動支点」の一例である。また、アーム２５３は、本発明の「板バネアーム」の一例である。
【００５７】
アーム２５２は、保持部材３０に形成された取付部２３４に固定的に支持されている。また、アーム２５３は、ケース部２１の下面に沿って短手方向（Ｘ方向）に延びるように設けられている。また、アーム２５３の途中には、屈曲部２５４（図８参照）が形成されている。アーム２５３は、屈曲部２５４よりも先端側で、回路基板２３を幅方向（Ｘ方向）に跨ぐようにして、回路基板２３の外側の壁部２５の下端面２５ａと面接触するように設けられている。なお、屈曲部２５４は、Ｘ方向において、回路基板２３の両外側の壁部２５よりもガイド部３２ａおよび３２ｂに近い位置に形成されている。アーム２５３は、屈曲部２５４よりも先端側でケース部２１の下端面２５ａとほぼ平行になるように形成されている。その結果、アーム２５３は、短手方向の一方側（Ｘ１方向側）に配置された屈曲部２５１とは遠い他方側（Ｘ２方向側）で、回路基板２３の両外側の壁部２５（ケース２１）とそれぞれ接触する。
【００５８】
第３実施形態では、板バネ２５０とケース部２１とは、回路基板２３の両外側の壁部２５の各々の下端面２５ａと、それぞれ接触点Ｐ３ａおよびＰ３ｂにおいて当接する。ただし、屈曲部２５１とは遠い側の壁部２５の下端面２５ａとの接触点Ｐ３ａにおける付勢力Ｆ３は、接触点Ｐ３ｂにおける付勢力よりも大きい。そして、付勢力Ｆ３の向きは、回動中心から接触点Ｐ３ａまでのアーム長を半径とする円の接線方向となる。この結果、第３実施形態では、板バネ２５０は、載置板１０に向かうＺ方向に対してガイド部３２ａおよび３２ｂ側（Ｘ１方向側）に傾斜した方向に向けて、ケース部２１を付勢するように構成されている。なお、付勢力Ｆ３の傾斜角度θは上記第２実施形態と同様である。
【００５９】
なお、ここでは、板バネ２５０とケース部２１との接触位置を、付勢力Ｆ３の説明のために接触点Ｐ３ａ（Ｐ３ｂ）で代表して示しているが、実際には板バネ２５０とケース部２１とは面接触となる。すなわち、図９に示すように、幅Ｗ３を有するアーム２５３が壁部２５の下端面２５ａと接するため、下端面２５ａにおいて短手方向（Ｘ方向）に延びる帯状の面が、板バネ２５０とケース部２１との接触位置となる。
【００６０】
なお、第３実施形態における画像読取装置３００のその他の構成については、上記第２実施形態と同様である。
【００６１】
上記第３実施形態では、以下のような効果を得ることができる。
【００６２】
第３実施形態では、上記のように、載置板１０に向かうＺ方向に対してガイド部３２ａ（３２ｂ）側に角度θだけ傾斜した方向に向けて、ケース部２１を付勢するように板バネ２５０を構成する。これにより、ケース部２１をガイド部３２ａ（３２ｂ）側にも付勢してケース部２１とガイド部３２ａ（３２ｂ）との接触状態を維持させることができる。その結果ケース部２１がガイド部３２ａ（３２ｂ）との間の隙間でガタつくことを防ぐことができるので、ケース部２１（スペーサ２４）が振動して載置板１０と接触および離間を繰り返すことにより異音が発生することも抑制することができる。
【００６３】
また、第３実施形態では、上記のように、回路基板２３の一方側（Ｘ１方向側）に配置された屈曲部２５１と、回路基板２３の他方側（Ｘ２方向側）に配置され、ケース部２１に当接して付勢するアーム２５３とを有する板バネ２５０を設ける。これにより、回路基板２３の一方側（Ｘ１方向側）の屈曲部２５１とは反対の他方側（Ｘ２方向側）でケース部２１に当接するアーム２５３によって、容易に、回路基板２３の外側でケース部２１と板バネ２５０とを接触させることができる。また、アーム１５３がケース部２１と線接触するトーションバネ１５０を用いる場合と比較して、板バネ２５０（アーム２５３）をケース部２１と面接触させることができるので、より安定してケース部２１を付勢することができる。また、アーム２５３とケース部２１との接触点Ｐ３ａと、板バネ２５０の屈曲部２５１との距離を調節することにより、容易に、ガイド部３２ａ（３２ｂ）側に傾斜した方向に向けてケース部２１を付勢する構成を得ることもできる。
【００６４】
なお、第３実施形態のその他の効果は、上記第２実施形態と同様である。
【００６５】
（第４実施形態）
次に、図４、図６、図８、図１０および図１１参照して、第４実施形態について説明する。この第４実施形態では、トーションバネ１５０を設けた上記第２実施形態、および、板バネ２５０を設けた上記第３実施形態と異なり、ゴムまたは発泡材からなる付勢部材を設けた例について説明する。なお、上記第２実施形態と同様の構成は、第２実施形態と同じ符号を付して図示するとともに説明を省略する。
【００６６】
図１０および図１１に示すように、本発明の第４実施形態における画像読取装置４００のセンサユニット３２０（ケース部２１）と保持部材３０との間には、ゴムまたは発泡材からなる付勢部材３５０が設けられている。なお、付勢部材３５０として用いられるゴムまたは発泡材は、上記の圧縮コイルバネ５０（図４参照）、トーションバネ１５０（図６参照）および板バネ２５０（図８参照）と同等の弾性を有するものであれば、どのような材料を用いてもよく、材料は特に限定されない。
【００６７】
付勢部材３５０は、固定的に支持された第１表面３５１と、ケース部２１を付勢する第２表面３５２とを有する。付勢部材３５０は、全長に渡って略一定の幅Ｗ４（図１１参照）を有するとともに、Ｘ方向に延びるように形成されている。付勢部材３５０の下面である第１表面３５１は、平坦面からなり、保持部材３０の底部３３に密着した状態で固定されている。固定方法は、たとえば接着などである。
【００６８】
付勢部材３５０の上面である第２表面３５２は、平坦面からなるとともに、第１表面３５１に対して所定角度で傾斜している。この第２表面３５２は、回路基板２３の幅方向（Ｘ方向）外側でケース部２１と接触し、かつ、回路基板２３とは非接触となるように傾斜した傾斜面からなる。この結果、付勢部材３５０は、上下方向の厚みがＸ１方向側に向かうに従って小さくなるくさび状形状を有している。これにより、第２表面３５２は、ガイド部３２ａ（３２ｂ）から遠い側（Ｘ２方向側）の壁部２５の下端面２５ａと接触点Ｐ４で接触するように構成されている。
【００６９】
この結果、第４実施形態では、付勢部材３５０の付勢力Ｆ４は、第２表面３５２の傾斜角度を反映して、短手方向のガイド部３２ａ（３２ｂ）側（Ｘ１方向側）に傾斜した方向に作用する。このように、第４実施形態では、付勢部材３５０は、載置板１０に向かうＺ方向に対してガイド部３２ａおよび３２ｂ側（Ｘ１方向側）に傾斜した方向に向けて、ケース部２１を付勢するように構成されている。なお、付勢力Ｆ４の傾斜角度θは上記第２実施形態と同様である。
【００７０】
なお、ここでは、付勢部材３５０とケース部２１との接触位置を、付勢力Ｆ４の説明のために接触点Ｐ４で代表して示しているが、実際にはゴムまたは発泡材からなる付勢部材３５０の第２表面３５２にケース部２１が僅かにめり込むように接触することになる。そのため、幅Ｗ４を有する付勢部材３５０に対して壁部２５の下端面２５ａがめり込む領域が、付勢部材３５０とケース部２１との接触位置となる。
【００７１】
なお、第４実施形態における画像読取装置４００のその他の構成については、上記第３実施形態と同様である。
【００７２】
上記第４実施形態では、以下のような効果を得ることができる。
【００７３】
第４実施形態では、上記のように、Ｚ方向に対してガイド部３２ａ（３２ｂ）側に傾斜した方向に向けて、ケース部２１を付勢するように付勢部材３５０を構成する。これにより、ケース部２１をガイド部３２ａ（３２ｂ）側にも付勢してケース部２１（軸状部２１ｃ）とガイド部３２ａ（３２ｂ）との接触状態を維持させることができる。その結果、ケース部２１がガイド部３２ａ（３２ｂ）との間の隙間でガタつくことを防ぐことができるので、ケース部２１（スペーサ２４）が振動して載置板１０と接触および離間を繰り返すことにより異音が発生することも抑制することができる。
【００７４】
また、第４実施形態では、上記のように、固定的に支持された第１表面３５１と、ケース部２１を付勢する第２表面３５２とを有するゴムまたは発泡材からなる付勢部材３５０を設ける。そして、回路基板２３の幅方向（Ｘ方向）外側でケース部２１と接触し、かつ、回路基板２３とは非接触となるように傾斜した傾斜面により第２表面３５２を構成する。これにより、ゴムまたは発泡材を付勢部材３５０として用いる場合にも、傾斜面からなる第２表面３５２によって、容易に、回路基板２３とは非接触の状態でケース部２１と付勢部材３５０（ゴムまたは発泡材）とを接触させることができる。また、第２表面３５２の傾斜角度を調節することにより、容易に、ガイド部３２ａ（３２ｂ）側に傾斜した方向に向けてケース部２１を付勢する構成を得ることもできる。
【００７５】
なお、第４実施形態のその他の効果は、上記第２実施形態と同様である。
【００７６】
（第５実施形態）
次に、図１〜図４、図６、図８、図１０および図１２を参照して、第５実施形態について説明する。この第５実施形態では、画像読取装置に本発明を適用した上記第１〜第４実施形態と異なり、印刷部と読取部とを備えた複合機（画像形成装置）に本発明を適用した例について説明する。なお、上記第１実施形態と同様の構成は、第１実施形態と同じ符号を付して図示するとともに説明を省略する。
【００７７】
図１２に示すように、第５実施形態による複合機５００は、画像印刷を行う印刷部４１０と、画像読み取りを行う読取部４２０および４３０とを備えた画像形成装置である。複合機５００は、印刷部４１０および読取部４２０を収容する筐体４４０と、読取部４２０の上面を覆う天板部４５０とをさらに備えている。読取部４３０は、天板部４５０内に設けられている。印刷部４１０は、給紙部４１１に載置された用紙Ａを装置内部に搬送して印刷を行うとともに、印刷済みの用紙Ａを排出部４１２から排出するように構成されている。印刷部４１０は、公知の構成を採用することができるので、説明を省略する。複合機５００は、本発明の「画像形成装置」の一例である。
【００７８】
読取部４２０は、上記第１実施形態〜第４実施形態に示した画像読取装置１００〜４００のいずれかにより構成されている。すなわち、図１に示したように、読取部４２０は、原稿が配置される載置板１０と、載置板１０の原稿を読み取る画像センサ部２２と、画像センサ部２２を収容して保持するケース部２１と、ケース部２１と接触するように配置され、ケース部２１を載置板１０に対して付勢する付勢部材とを含む。ここで、付勢部材としては、圧縮コイルバネ５０（図４参照）、トーションバネ１５０（図６参照）、板バネ２５０（図８参照）または付勢部材３５０（図１０参照）のいずれかが採用される。
【００７９】
複合機５００の天板部４５０は、筐体４４０の上面に配置されるとともに筐体４４０に対して開閉可能に構成されており、天板部４５０を開放すると、載置板１０（図１参照）が筐体４４０の上面部に露出される。そして、載置板１０上に原稿を配置して画像センサ部２２（図１参照）を走査させることにより、読取部４２０による原稿読取が行われる。また、天板部４５０には、読取部４３０に読取対象の原稿を自動給紙する給紙部４３１と、読取部４３０による読み取り済みの原稿を排出する排出部４３２とが設けられている。これらの給紙部４３１および排出部４３２により、読取部４３０は、原稿自動給紙機能（ＡＤＦ）付きの読取部として構成されている。
【００８０】
なお、読取部４３０に、プラテンローラ（図示せず）により供給される原稿を読み取る画像センサ部２２（図３参照）と、画像センサ部２２を収容して保持するケース部２１（図３参照）と、ケース部２１と接触するように配置され、ケース部２１をプラテンローラに対して付勢する付勢部材（たとえば、圧縮コイルバネ５０）とを設けてもよい。この場合、プラテンローラは、本発明の「原稿配置部」の一例である。
【００８１】
なお、第５実施形態における複合機５００のその他の構成については、上記第１実施形態と同様である。
【００８２】
上記第５実施形態のような構成の複合機５００においても、読取部４２０に上記した各実施形態の画像読取装置１００〜４００を採用することにより、上記した各実施形態と同様の効果を得ることができる。
【００８３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００８４】
また、上記第１〜第５実施形態では、付勢部材の一例として、圧縮コイルバネ５０、トーションバネ１５０、板バネ２５０、および、ゴムまたは発泡材からなる付勢部材３５０を示したが、本発明はこれに限られない。本発明では、上記の各実施形態で説明した例以外の付勢部材を用いてもよい。
【００８５】
また、上記第１〜第５実施形態では、回路基板２３とは非接触の状態でケース部２１を付勢するように付勢部材を構成した例を示したが、本発明はこれに限られない。本発明では、付勢部材が回路基板と接触してもよい。具体的には、たとえば上記第１実施形態では、回路基板２３をケース部２１の下端面２５ａよりも上方（奥側）に配置（図４参照）した例を示したが、回路基板２３をケース部２１の下端面２５ａとほぼ面一となる位置に配置してもよい。この場合には、圧縮コイルバネ５０が回路基板２３とケース部２１の下端面２５ａとの両方と接触する。その場合でも、ケース部との接触によって回路基板に加わる衝撃を分散することができるので、装置に衝撃が加わった場合にも回路基板などの破損を抑制することが可能である。
【００８６】
また、上記第１〜第５実施形態では、回路基板２３と上下に重なる位置に付勢部材を配置した例を示したが、本発明はこれに限られない。平面的に見て、回路基板２３と付勢部材とが重なることなく、付勢部材が回路基板２３の外側でケース部２１のみと重なるようにしてもよい。ただし、この場合にはケース部を大型化する必要があり、それに伴い画像読取装置が大型化する。
【００８７】
また、上記第１〜第５実施形態では、ケース部２１の軸状部２１ｃを短手方向の一方側（Ｘ１方向側）の位置に配置（図４参照）した例を示したが、本発明はこれに限られない。本発明では、軸状部は、短手方向の中央でもよいし、短手方向の他方側（Ｘ２方向側）にあってもよい。この場合でも、上記第２〜第４実施形態のように付勢力の方向をＺ方向に対してガイド部側に傾斜させることにより、ガタつきを抑制することが可能である。
【００８８】
また、上記第１〜第５実施形態では、センサユニットを副走査方向（Ｘ方向）に移動させて走査する構成の例を示したが、本発明はこれに限られない。本発明では、上記第５実施形態のＡＤＦ機能付きの読取部４３０について説明したように、センサユニットが移動せずに、供給される原稿側を移動させることより、副走査方向に走査する構成であってもよい。この場合、上記第１実施形態で示した駆動機構４０および駆動モータ４１は設けなくともよい。
【００８９】
また、上記第１実施形態では、圧縮コイルバネ５０の付勢力Ｆ１が上下方向（Ｚ方向）に作用するように、圧縮コイルバネ５０を構成した例を示したが、本発明はこれに限られない。圧縮コイルバネ５０を用いる場合にも、上記第２〜第４実施形態で示したように、載置板１０に向かうＺ方向に対してガイド部３２ａ（３２ｂ）側に傾斜した方向に向けて、ケース部２１を付勢するように構成してもよい。すなわち、圧縮コイルバネ５０自体をガイド部３２ａ（３２ｂ）側に斜めに傾けて取り付けてもよい。
【００９０】
また、上記第１実施形態では、圧縮コイルバネ５０をケース部２１の長手方向（Ｙ方向）両端部近傍に配置（図３参照）した例を示したが、本発明はこれに限られない。圧縮コイルバネ５０を１つまたは３つ以上配置してもよいし、長手方向両端部以外の中央部に圧縮コイルバネ５０を配置してもよい。付勢力を均等に作用させるためには、圧縮コイルバネ５０を２つ１組で設けるのがよく、なるべく長手方向の両端部に近づけて配置するのがよい。なお、上記第２〜第４実施形態で示したトーションバネ１５０、板バネ２５０、および、ゴムまたは発泡材からなる付勢部材３５０についても同様である。
【符号の説明】
【００９１】
１０  載置板（原稿配置部）
２１  ケース部
２２  画像センサ部
２３  回路基板
３０  保持部材
３２ａ、３２ｂ  ガイド部
５０  圧縮コイルバネ（付勢部材）
１００、２００、３００、４００  画像読取装置
１５０  トーションバネ（付勢部材、ねじりバネ）
１５１  コイル部（回動支点）
１５３  アーム（ねじりアーム）
２５０  板バネ（付勢部材）
２５１  屈曲部（回動支点）
２５３  アーム（板バネアーム）
３５０  付勢部材
３５１  第１表面
３５２  第２表面
４１０  印刷部
４２０、４３０  読取部
５００  複合機（画像形成装置）
【図１】
2015035738.tif 000003
【図２】
2015035738.tif 000004
【図３】
2015035738.tif 000005
【図４】
2015035738.tif 000006
【図５】
2015035738.tif 000007
【図６】
2015035738.tif 000008
【図７】
2015035738.tif 000009
【図８】
2015035738.tif 000010
【図９】
2015035738.tif 000011
【図１０】
2015035738.tif 000012
【図１１】
2015035738.tif 000013
【図１２】
2015035738.tif 000014